(57)【要約】【課題】後からどのようなオプションボードが挿入された場合でも、モニター側メニュー画面の中に追加されたオプションボード用のメニュー画面を組み込み、統一されたデザインの一体のメニュー画面として表示し、かつ、事前に映像出力を切換えることなく表示する映像モニターを提供することを目的とする。【解決手段】モニター本体１１０は、モニター側プロセッサ１０１と、モニター側記憶装置１０２と、表示装置１０６と、オプションボード装着用スロット１１１と、モニター側映像出力１１４と、を備え、前記オプションボード装着用スロット１１１に挿入されるオプションボード１１２は、オプションボード側プロセッサ１０３と、オプションボード側記憶装置１０４と、を備えた映像モニター１００である。【選択図】図１
2010066560.tif 000002
【特許請求の範囲】
【請求項１】
モニター本体とオプションボードとを備えた映像モニターであって、
モニター本体は、
モニター側プロセッサと、モニター側記憶装置と、表示装置と、オプションボード装着用スロットと、モニター側映像出力と、を備え、
前記オプションボード装着用スロットに挿入されるオプションボードは、
オプションボード側プロセッサと、オプションボード側記憶装置と、を備え、
モニター側記憶装置は、
モニター側メニュー画面とオプションボード側メニュー画面を一括して描画するモニター側メニュー表示ルーチンと、
モニター側メニュー画面の設定項目の現在の設定内容を示すモニター側ユーザ設定情報と、
メニュー画面を構成する部品を描画するための情報であるメニュー部品情報と、
を記憶しており、
オプションボード側記憶装置は、
オプションボード側メニュー画面の設定項目の現在の設定内容を示すオプションボード側ユーザ設定情報と、
オプションボード側メニュー画面の構成を示すメニュー構成情報と、
を記憶しており、
モニター側プロセッサとオプションボード側プロセッサとは、通信バスを用いて互いに通信自在であり、
ユーザが、オプションボード側メニュー画面の表示を要求した時、
モニター側プロセッサは、オプションボード側プロセッサから受け取ったメニュー構成情報に従って、モニター側記憶装置から必要なメニュー部品情報を読み出し、このメニュー部品情報を参照しながら、モニター側記憶装置に記憶されたメニュー表示ルーチンを実行して、オプションボード用のメニュー画面を描画し、映像出力として表示装置に表示する、
映像モニター。
【請求項２】
オプションボード用のメニュー画面を描画すると同時にモニター用メニュー画面も一括して描画し、この一括して描画したメニュー画面を、映像出力として表示装置に表示する、
請求項１に記載の映像モニター。
【発明の詳細な説明】
【技術分野】
【０００１】
本発明は、オプションボード用スロット搭載型の映像モニターに関し、特にそのメニュー画面の表示に関する。
【背景技術】
【０００２】
業務用の映像モニターにおいては、オプションボードを挿入するためのスロットを備えたものがある。このスロットに、さまざまな機能を持つオプションボードを挿入し、映像モニターと接続することによって、後からさまざまな機能を映像モニターに追加することが出来る。
【０００３】
このような映像モニターは、モニター本体の設定を変更するためのメニュー画面は持っているが、後から追加されるオプションボード固有の機能を設定するためのメニュー画面は持っていない。その理由は、各オプションボードがどのような機能を有しているか、また、どのオプションボードが挿入されるかが、前もって分からないためである。
【０００４】
したがって、従来、モニター本体のメニュー画面はモニター本体のプロセッサで表示し、スロットに挿入されたオプションボードのメニュー画面はオプションボードのプロセッサで表示している。
【０００５】
図３は従来の映像モニターの概略構成を示すブロック図である。図３において、映像モニター３００はモニター本体３１０とオプションボード３１２とを備え、モニター本体３１０は、モニター側プロセッサ３０１、モニター側記憶装置３０２、表示装置３０６、リモコン受光部３１６、映像スイッチ３１３、オプションボード装着用スロット３１１、を備えている。
【０００６】
モニター側記憶装置３０２は、モニター側メニュー表示ルーチン３０８、モニター側ユーザ設定情報３１８を記憶している。
【０００７】
モニター側メニュー表示ルーチン３０８は、モニター側メニュー画面を描画する。モニター側ユーザ設定情報３１８は、モニター側メニュー画面の設定項目の現在の設定内容を示す。
【０００８】
映像スイッチ３１３は、モニター側プロセッサ３０１から映像スイッチ制御信号３１７を受けることで、オプションボード側映像出力３１５かモニター側映像出力３１４かを選択して表示装置への映像出力を切換える。
【０００９】
オプションボード３１２は、オプションボード側プロセッサ３０３、オプションボード側記憶装置３０４を備えている。
【００１０】
オプションボード側記憶装置３０４は、オプションボード側メニュー表示ルーチン３０９、オプションボード側ユーザ設定情報３１９を記憶している。オプションボード側メニュー表示ルーチン３０９はオプションボード側メニュー画面を描画する。オプションボード側ユーザ設定情報３１９はオプションボード側メニュー画面の設定項目の現在の設定内容を示す。
【００１１】
モニター側プロセッサ３０１とオプションボード側プロセッサ３０３は、通信バス３０５を用いて互いに通信する。ユーザはリモコン３０７を用いて操作する。
【００１２】
モニター本体３１０が有するオプションボード装着用スロット３１１にはオプションボード３１２が挿入されている。
【００１３】
ユーザがリモコン３０７でモニター側メニュー画面の表示を要求したとき、モニター側プロセッサ３０１はリモコン受光装置３１６を介してその支持を受け、モニター側記憶装置３０２からモニター側メニュー表示ルーチン３０８を読み出して実行し、表示装置３０６にモニター側メニュー画面を表示する。
【００１４】
ここで、モニター側メニュー画面を表示装置３０６に表示するためには、ユーザは、モニター側メニュー画面の表示を要求する前に表示装置３０６にモニター側映像出力３１４を表示しておく必要がある。すなわち、リモコンを用いて、リモコン受光装置３１６を介して、モニター側プロセッサから映像スイッチ３１３に対して映像スイッチ制御信号３１７を出させることで、映像スイッチをモニター側映像出力３１４に切換えて、表示装置３０６にモニター側映像出力３１４を表示しておく必要がある。
【００１５】
一方、ユーザがリモコン３０７でオプションボード側メニュー画面の表示を要求したとき、モニター側プロセッサはリモコン受光装置３１６を介してその支持を受け、通信バス３０５を介してオプションボード側プロセッサ３０３にそのことを伝える。オプションボード側プロセッサ３０３は、オプションボード側記憶装置３０４からオプションボード側メニュー表示ルーチン３０９を読み出して実行し、表示装置３０６にモニター側メニュー画面を表示する。
【００１６】
ここで、オプションボード側メニュー画面を表示装置３０６に表示するためには、モニター側メニュー表示のときと同様に、ユーザは事前に、映像スイッチ３１３をオプションボード側映像出力３１５に切換えて、表示装置３０６にオプションボード側映像出力３１５を表示しておく必要がある。
【００１７】
次に、表示装置３０６に表示されたメニュー画面に対して、ユーザがリモコン３０７を用いて操作するとき、モニター用メニュー画面の各メニュー項目の設定を決定した場合は、モニター側プロセッサ３０１はモニター側ユーザ設定情報３１８をモニター側記憶装置３０２に記憶する。
【００１８】
また、ユーザがオプションボード用メニュー画面の各メニュー項目を操作するとき、モニター側プロセッサ３０１はリモコン受光装置３１６を介してリモコン信号を受け取り、その信号を、通信バス３０５を介してオプションボード側プロセッサ３０３に伝える。ユーザがオプションボード用メニューの設定を決定した場合は、オプションボード側プロセッサ３０３はオプションボード側ユーザ設定情報３１９をオプションボード側記憶装置３０４に記憶する。
【００１９】
また、従来のメニュー画面の表示方式として、ユーザが端末装置を用いて対話形式で各ユーザにカスタマイズされたメニュー画面を表示するものもある（例えば、特許文献１参照）。
【特許文献１】特開昭６３−８９２７号公報
【発明の開示】
【発明が解決しようとする課題】
【００２０】
しかしながら、上述したような従来構成では、モニター用メニュー画面とオプションボード用メニュー画面を別々のプロセッサで表示しているため、プロセッサのスペックの違いから両者のメニュー画面の間に、フォント、色、ＧＵＩ描画のドット数の違いなどからくるデザインの違いが生じるという課題を有していた。また、ユーザにとっての操作性の面でも、オプションボードのメニュー画面を表示するためには、事前に、映像スイッチを切換えてオプションボード側映像出力を表示装置に表示しておく必要があるという課題を有していた。
【００２１】
また、特許文献１において開示されている構成では、ユーザが対話的に希望するメニュー画面を登録する必要があり、１つのプロセッサと記憶装置を用いた構成であるためプロセッサや記憶装置が増設されたり、入れ替わるケースには対応できないという課題を有していた。
【００２２】
本発明はこのような現状に鑑みなされたもので、後からどのようなオプションボードが挿入された場合でも、モニター側メニュー画面の中に追加されたオプションボード用のメニュー画面を組み込み、統一されたデザインの一体のメニュー画面として表示し、かつ、事前に映像出力を切換えることなく表示する映像モニターを提供することを目的とする。
【課題を解決するための手段】
【００２３】
上記目的を実現するために本発明の映像モニターは、モニター本体とオプションボードとを備えた映像モニターであって、モニター本体は、モニター側プロセッサと、モニター側記憶装置と、表示装置と、オプションボード装着用スロットと、モニター側映像出力と、を備え、前記オプションボード装着用スロットに挿入されるオプションボードは、オプションボード側プロセッサと、オプションボード側記憶装置と、を備え、モニター側記憶装置は、モニター側メニュー画面とオプションボード側メニュー画面を一括して描画するモニター側メニュー表示ルーチンと、モニター側メニュー画面の設定項目の現在の設定内容を示すモニター側ユーザ設定情報と、メニュー画面を構成する部品を描画するための情報であるメニュー部品情報と、を記憶しており、オプションボード側記憶装置は、オプションボード側メニュー画面の設定項目の現在の設定内容を示すオプションボード側ユーザ設定情報と、オプションボード側メニュー画面の構成を示すメニュー構成情報と、を記憶しており、モニター側プロセッサとオプションボード側プロセッサとは、通信バスを用いて互いに通信自在であり、ユーザが、オプションボード側メニュー画面の表示を要求した時、モニター側プロセッサは、オプションボード側プロセッサから受け取ったメニュー構成情報に従って、モニター側記憶装置から必要なメニュー部品情報を読み出し、このメニュー部品情報を参照しながら、モニター側記憶装置に記憶されたメニュー表示ルーチンを実行して、オプションボード用のメニュー画面を描画し、映像出力として表示装置に表示する、というものである。
【発明の効果】
【００２４】
本発明によれば、後からどのようなオプションボードが挿入された場合でも、モニター側メニュー画面の中に追加されたオプションボード用のメニュー画面を組み込み、統一されたデザインの一体のメニュー画面として表示し、かつ、事前に映像出力を切換えることなく表示する映像モニターを提供することが可能となる。
【発明を実施するための最良の形態】
【００２５】
以下、本発明の一実施の形態による映像モニターについて、図面を参照しながら説明する。図１は、本発明の一実施の形態による映像モニターの概略構成を模式的に示すブロック図である。図１において、映像モニター１００はモニター本体１１０とオプションボード１１２とを備えている。
【００２６】
モニター本体１１０は、モニター側プロセッサ１０１、モニター側記憶装置１０２、表示装置１０６、リモコン受光部１１６、オプションボード装着用スロット１１１、モニター側映像出力１１４を備えている。
【００２７】
モニター側記憶装置１０２は、モニター側メニュー表示ルーチン１０８、モニター側ユーザ設定情報１１８、メニュー部品情報１２０を記憶している。モニター側メニュー表示ルーチン１０８は、モニター側メニュー画面とオプションボード側メニュー画面を一括して描画する。モニター側ユーザ設定情報１１８は、モニター側メニュー画面の設定項目の現在の設定内容を示す。メニュー部品情報１２０はメニュー画面を構成する部品を描画するための情報を示す。例えばボタンやセレクターなどが考えられる。
【００２８】
オプションボード１１２は、オプションボード側プロセッサ１０３、オプションボード側記憶装置１０４を備えている。
【００２９】
オプションボード側記憶装置１０４は、オプションボード側ユーザ設定情報１１９、メニュー構成情報１２１を記憶している。オプションボード側ユーザ設定情報１１９は、オプションボード側メニュー画面の設定項目の現在の設定内容を示す。メニュー構成情報１２１はオプションボード側メニュー画面の構成を示す。
【００３０】
モニター側プロセッサ１０１とオプションボード側プロセッサ１０３とは、通信バス１０５を用いて互いに通信する。
【００３１】
ユーザはリモコン１０７を用いて操作する。
【００３２】
図１において、モニター本体１１０が有するオプションボード装着用スロット１１１には、オプションボード１１２が挿入されている。オプションボード側プロセッサ１０３は、電源が投入された直後に、オプションボード側メニュー画面の構成を表すメニュー構成情報１２１を、オプションボード側記憶装置１０４から読み出し、通信バス１０５を介して、モニター側プロセッサ１０１に送る。
【００３３】
メニュー構成情報１２１は、情報として、項目数、項目番号、部品種類番号、項目名文字列、選択肢数、選択肢番号、選択肢文字列、選択済み選択肢番号を含む。ここで、項目数はメニュー画面を構成する項目の数を表す。項目番号はメニュー画面の中の何番目の項目かを表す。部品種類番号はその項目に使われる部品の種類を表し、モニター側記憶装置１０２に記憶されているメニュー部品情報１２０と関連づけられる。
【００３４】
項目名文字列はメニュー画面に表示する項目名の文字列を表す。選択肢数は項目が持つ選択肢の数を表す。選択肢番号は項目が持つ何番目の選択肢かを表す。選択肢文字列はメニュー画面に表示する選択肢名の文字列を表す。選択済み選択肢番号はメニュー画面を最初に表示するときに選択されている選択肢を表す。
【００３５】
ユーザがリモコン１０７でオプションボード側メニュー画面の表示を要求した時、モニター側プロセッサ１０１はリモコン受光装置１１６を介してその要求を受け、電源投入直後にオプションボード側プロセッサ１０３から受け取ったメニュー構成情報１２１に従って、モニター側記憶装置１０２から必要なメニュー部品情報１２０を読み出す。
【００３６】
メニュー部品情報１２０は、情報として、部品名、部品種類番号、項目名文字列、選択肢数、選択肢番号、選択肢文字列、選択済み選択肢番号を含む。このうち、項目名文字列、選択肢数、選択肢番号、選択肢文字列、選択済み選択肢番号は、受け取ったメニュー構成情報１２１の内容が用いられる。そして、モニター側プロセッサ１０１はメニュー部品情報１２０を参照しながら、モニター側記憶装置１０２に記憶されたメニュー表示ルーチン１０８を実行して、オプションボード用のメニュー画面を描画する。このとき、必要であればモニター用メニュー画面も、オプションボード用メニュー画面と同時に一括して描画する。そして、描画したメニュー画面を、映像出力１１４として表示装置１０６に表示する。
【００３７】
例えば、次のようなメニュー部品情報１２０がモニター側記憶装置１０２に記憶されているとする。
【００３８】
部品名  ボタン、部品種類番号  １
部品名  セレクター、部品種類番号  ２
部品名  バー、部品種類番号  ３
部品名  バランス、部品種類番号  ４
ここで、いずれの部品も、項目名文字列、選択肢数、選択肢番号、選択肢文字列は、メニュー構成情報１２１に従う。
【００３９】
このとき、オプションボード側プロセッサ１０３がオプションボード特有の設定を行うために、図２のようなメニュー画面をモニター側に表示したいものとする。
【００４０】
図２に示すように、オプションボード側メニュー画面２０１は、設定する項目は起動時入力、サマータイム設定、外部音声左右バランスの３つを持つ。
【００４１】
１番目の起動時入力２０２は、起動時入力を設定する項目であり、選択肢として、「ＴＶ」、「ＡＶ１」、「ＡＶ２」を持ち、現在、「ＡＶ１」が選択済みであり、項目番号は「１」とする。
【００４２】
２番目のサマータイム設定２０３は、サマータイムを設定する項目であり、選択肢として、「０」、「＋１／２Ｈｒ」、「＋１Ｈｒ」を持ち、現在、「＋１／２Ｈｒ」が選択済みであり、項目番号は「２」とする。
【００４３】
３番目の外部音声左右バランス２０４は、外部音声の左右バランスを設定する項目であり、選択肢として、「−２」、「−１」、「０」、「＋１」、「＋２」を持ち、現在、「０」が選択済みであり、項目番号は「３」とする。
【００４４】
このとき、オプションボード側プロセッサ１０３は、下記のようなメニュー構成情報１２１を、オプションボード側記憶装置１０４から読み出し、通信バス１０５を介してモニター側プロセッサ１０１に送る。
【００４５】
項目数 ３
項目番号  １、部品種類番号  ２、項目名文字列  起動時入力、
選択肢数  ３
選択肢番号  １、選択肢文字列  ＴＶ
選択肢番号  ２、選択肢文字列  ＡＶ１
選択肢番号  ３、選択肢文字列  ＡＶ２
選択済み選択肢番号  ２
項目番号  ２、部品種類番号  ３、項目名文字列  サマータイム設定
選択肢数  ３
選択肢番号  １、選択肢文字列  ０
選択肢番号  ２、選択肢文字列  ＋１／２Ｈｒ
選択肢番号  ３、選択肢文字列  ＋１Ｈｒ
選択済み選択肢番号  ２
項目番号  ３、部品種類番号  ４、項目名文字列  外部音声左右バランス、
選択肢数  ５
選択肢番号  １、選択肢文字列  −２
選択肢番号  ２、選択肢文字列  −１
選択肢番号  ３、選択肢文字列  ０
選択肢番号  ４、選択肢文字列  ＋１
選択肢番号  ５、選択肢文字列  ＋２
選択済み選択肢番号  ３
モニター側プロセッサ１０１は、このメニュー構成情報１２１によりオプションボード側プロセッサ１０３が指示するメニュー構成を理解し、メニュー表示ルーチン１０８とメニュー部品情報１２０を用いて、その指示通りにオプションボード用メニュー画面を描画し、映像出力１１４として表示装置１０６に表示する。
【００４６】
このとき、必要であればモニター側メニュー画面も、同時に一体的なメニューとして表示してもよい。その場合、モニター側プロセッサ１０１はリモコン受光装置１１６を介してその指示を受け、モニター側記憶装置１０２からモニター側メニュー表示ルーチン１０８を読み出し実行して、モニター側メニュー画面をオプションボード用メニュー画面と同時に描画し、映像出力１１４として、表示装置１０６に表示する。
【００４７】
次に、ユーザがリモコン１０７を用いて、メニュー画面を操作してオプションボード用メニュー画面の各メニュー項目の設定を決定したら、モニター側プロセッサ１０１はオプションボード側ユーザ設定情報１１９をオプションボード側プロセッサ１０３に送る。
【００４８】
オプションボード側ユーザ設定情報１１９は、情報として、項目番号、選択済み選択肢番号を含む。オプションボード側プロセッサ１０３は、受け取ったオプションボード側ユーザ設定情報１１９をオプションボード側記憶装置１０４に記憶し、該当する各項目の設定をする。
【００４９】
例えば図２のメニュー画面の場合、ユーザが、起動時入力を「ＴＶ」、サマータイム設定を「＋１Ｈｒ」、外部音量左右バランスを「−１」と設定した場合、モニター側プロセッサ１０１は、以下のようなオプションボード側ユーザ設定情報１１９をオプションボード側プロセッサ１０３に送る。
【００５０】
項目番号  １、選択済み選択肢番号  １
項目番号  ２、選択済み選択肢番号  ３
項目番号  ３、選択済み選択肢番号  ２
また、ユーザがリモコン１０７を用いて、メニュー画面を操作してモニター用メニューの各メニュー項目の設定を決定したら、モニター側プロセッサ１０１はモニター側ユーザ設定情報１１８をモニター側記憶装置１０２に記憶する。
【００５１】
かかる構成によれば、モニター本体１１０にあとから追加されたオプションボード１１２が上記の処理を行うことにより、モニター側プロセッサ１０１はさまざまなオプションボード用メニュー画面をモニター側メニューと統一されたデザインで一体的に表示でき、かつ、事前に画面表示を切換えることなく表示することができる。
【００５２】
また、モニター本体１１０がオプションボード装着用スロットを複数もっている場合も、挿入された複数のオプションボードが各々で上記の処理を行うことにより、モニター側プロセッサ１０１はそれら全てのオプションボード用メニュー画面を、モニター側メニューと統一されたデザインで一体的に表示でき、かつ、事前に画面表示を切換えることなく表示することができる。
【００５３】
なお、以上の説明においては、オプションボード１１２としたが、外部機器としても良い。
【産業上の利用可能性】
【００５４】
以上のように本発明は、映像モニター、特にスロット搭載型映像モニターを提供する上で有用な発明である。
【図面の簡単な説明】
【００５５】
【図１】本発明の一実施の形態による映像モニターの概略構成を模式的に示すブロック図
【図２】本発明の一実施の形態による映像モニターのモニターに表示するメニュー画面の一例を示す図
【図３】従来の映像モニターの概略構成を示すブロック図
【符号の説明】
【００５６】
１００  映像モニター
１０１  映像モニター側プロセッサ
１０２  モニター側記憶装置
１０３  オプションボード側プロセッサ
１０４  オプションボード側記憶装置
１０５  通信バス
１０６  表示装置
１０７  リモコン
１０８  メニュー表示ルーチン
１１０  モニター本体
１１１  オプションボード装着用スロット
１１２  オプションボード
１１４  映像出力
１１６  リモコン受光部
１１８  モニター側ユーザ設定情報
１１９  オプションボード側ユーザ設定情報
１２０  メニュー部品情報
１２１  メニュー構成情報
２０１  オプションボード側メニュー画面
２０２  項目番号１  Ｃｏｌｏｕｒ  Ｂａｌａｎｃｅ
２０３  項目番号２  Ｃｏｎｔｒａｓｔ
２０４  項目番号３  音量Ｂａｌａｎｃｅ
３００  映像モニター
３０１  モニター側プロセッサ
３０２  モニター側記憶装置
３０３  オプションボード側プロセッサ
３０４  オプションボード側記憶装置
３０５  通信バス
３０６  表示装置
３０７  リモコン
３０８  モニター側メニュー表示ルーチン
３０９  オプションボード側メニュー表示ルーチン
３１０  モニター本体
３１１  オプションボード装着用スロット
３１２  オプションボード
３１３  映像スイッチ
３１４  モニター側映像出力
３１５  オプションボード側映像出力
３１６  リモコン受光装置
３１７  映像スイッチ制御信号
３１８  モニター側ユーザ設定情報
３１９  オプションボード側ユーザ設定情報
【図１】
2010066560.tif 000003
【図２】
2010066560.tif 000004
【図３】
2010066560.tif 000005